(57)【要約】【課題】デジタル放送受信装置に依存せずに、コンテンツの視聴可否を制御できるデジタル放送受信装置、デジタル放送システム及び放送装置を提供する。【解決手段】デジタル放送受信装置１０の無線通信機能の有効／無効や、内部の視聴設定によらず、放送装置２０から送信するＥＭＭに含まれる識別データに応じて、デジタル放送受信装置１０の限定受信機能の有効／無効（視聴可能／視聴不可能）を制御する。【選択図】図１
2006333350.tif 000002
【特許請求の範囲】
【請求項１】
限定受信方式の放送が視聴可能な受信装置毎又は限定受信方式の放送の視聴契約者毎に対応して固有の識別データを管理する管理装置と、限定受信方式の放送を行う放送装置と、前記限定受信放送を受信するデジタル放送受信装置と、からなるデジタル放送システムであって、
前記放送装置は、前記限定受信方式の放送の視聴可能な受信装置又は契約者の前記識別データを前記管理装置から取得して放送し、
前記デジタル放送受信装置は、前記放送波から自己の装置又は該装置を使用している契約者の識別データを受信した場合に前記限定受信方式の放送を視聴可能にする
ことを特徴とするデジタル放送システム。
【請求項２】
デジタル放送を受信する放送受信手段と、
自己の装置又は該装置を使用している契約者の識別データを記憶する記憶手段と、
前記放送受信手段により受信した放送波に含まれる識別データと前記記憶手段が記憶する識別データとが一致することを条件として、前記放送受信手段により受信する限定受信方式の放送を視聴可能にする制御手段と、
を備えたデジタル放送受信装置。
【請求項３】
前記記憶手段は、デジタル放送受信装置に対して着脱可能であることを特徴とする請求項２記載のデジタル放送受信装置。
【請求項４】
前記識別データは、少なくとも電子シリアル番号（ＥＳＮ）、移動加入者識別番号（ＩＭＳＩ）、国際携帯電話機識別番号（ＩＭＥＩ）、または携帯電話機識別番号（ＭＩＮ）のいずれかであることを特徴とする請求項２記載のデジタル放送受信装置。
【請求項５】
前記識別データは、ＥＭＭの暗号化されている部分に含まれていることを特徴とする請求項２記載のデジタル放送受信装置。
【請求項６】
限定受信方式の放送の視聴可能な受信装置又は契約者の識別データを取得して該識別データを含むトランスポートパケットを生成する生成手段と、
前記生成手段が生成したトランスポートパケットを送信する送信手段と、
を備えた放送装置。
【請求項７】
前記生成手段は、前記識別データをＥＭＭの暗号化されている部分に含めて生成することを特徴とする請求項６記載の放送装置。
【請求項８】
限定受信方式の放送が視聴可能な受信装置毎又は限定受信方式の放送の視聴契約者毎に対応して固有の識別データを管理し、放送事業者に対して前記限定受信方式の放送が視聴可能な受信装置又は限定受信方式の放送の視聴契約者の識別データを送信する管理手段、を備えた管理装置。
【請求項９】
前記限定受信方式の放送が視聴可能な受信装置又は限定受信方式の放送の視聴契約者の識別データを暗号化する暗号化手段、を備えた請求項８記載の管理装置。
【請求項１０】
限定受信方式の放送が視聴可能な受信装置毎又は限定受信方式の放送の視聴契約者毎に対応して固有の識別データを管理するとともに限定受信方式の受信又は視聴の停止をする受信装置又は契約者を前記識別データに対応させて管理する管理装置と、限定受信方式の放送を行う放送装置と、前記限定受信放送を受信するデジタル放送受信装置と、からなるデジタル放送システムであって、
前記放送装置は、前記限定受信方式の受信又は視聴の停止をする受信装置又は契約者の前記識別データを前記管理装置から取得して放送し、
前記デジタル放送受信装置は、前記放送波から自己の装置又は該装置を使用している契約者の識別データを受信した場合に前記限定受信方式の放送の受信又は視聴の停止をする
ことを特徴とするデジタル放送システム。
【請求項１１】
デジタル放送を受信する放送受信手段と、
自己の装置又は該装置を使用している契約者の識別データを記憶する記憶手段と、
前記放送受信手段により受信した放送波に含まれる識別データと前記記憶手段が記憶する識別データとが一致することを条件として、前記放送受信手段により受信する限定受信方式の放送の受信又は視聴を停止する制御手段と、
を備えたデジタル放送受信装置。
【請求項１２】
前記記憶手段は、デジタル放送受信装置に対して着脱可能であることを特徴とする請求項１１記載のデジタル放送受信装置。
【請求項１３】
前記識別データは、少なくとも電子シリアル番号（ＥＳＮ）、移動加入者識別番号（ＩＭＳＩ）、国際携帯電話機識別番号（ＩＭＥＩ）、または携帯電話機識別番号（ＭＩＮ）のいずれかであることを特徴とする請求項１１記載のデジタル放送受信装置。
【請求項１４】
前記識別データは、ＥＭＭの暗号化されている部分に含まれていることを特徴とする請求項１１記載のデジタル放送受信装置。
【請求項１５】
限定受信方式の受信又は視聴の停止をする受信装置又は契約者の識別データを取得して該識別データを含むトランスポートパケットを生成する生成手段と、
前記生成手段が生成したトランスポートパケットを送信する送信手段と、
を備えた放送装置。
【請求項１６】
前記生成手段は、前記識別データをＥＭＭの暗号化されている部分に含めて生成することを特徴とする請求項１５記載の放送装置。
【請求項１７】
限定受信方式の放送が視聴可能な受信装置毎又は限定受信方式の放送の視聴契約者毎に対応して固有の識別データを管理するとともに限定受信方式の受信又は視聴の停止をする受信装置又は契約者を前記識別データに対応させて管理し、放送事業者に対して前記限定受信方式の受信又は視聴の停止をする受信装置又は契約者の識別データを送信する管理手段、を備えた管理装置。
【請求項１８】
前記限定受信方式の受信又は視聴の停止をする受信装置又は契約者の識別データを暗号化する暗号化手段、を備えた請求項１７記載の管理装置。
【発明の詳細な説明】
【技術分野】
【０００１】
本発明は、デジタル放送に関し、特に限定受信方式の放送を行うデジタル放送システム、デジタル放送受信装置、放送装置、管理装置に関する。
【背景技術】
【０００２】
デジタル放送受信装置としての携帯電話機に、テレビチューナを内蔵しているものが知られている（たとえば、下記特許文献１）。さらに、携帯電話機に対して、地上デジタル放送および衛星デジタル放送が予定され、これらのデジタル放送では、いわゆる限定受信システム（Ｄ−ＣＡＳ）がサポートされる。限定受信システムは、放送波をスクランブルして放送することによって、たとえば番組（コンテンツ）単位で視聴料金を支払って（ペイパービュー；ＰＰＶ）契約した契約者に対しては視聴を許可し、契約者以外に対しては受信機側で視聴を禁止するシステムである。
【０００３】
この限定受信サービス（番組）をデスクランブルするか否かは受信機に挿入されているICカードが判断する。ICカードは視聴可否を判定する処理や、EMM (Entitlement Management Message）やECM(Entitlement Control Message)を復号化する処理を行う。
EMMやECMはTSパケットとして放送波によってブロードキャストされる。尚、TSパケットはコンテンツやECM，EMM、EPGなどのセクション情報をすべて含む。
EMMは限定受信機ごとに送信されるメッセージで、EMMセクションとして伝送される。EMMセクションは各受信機宛のEMM本体が複数個多重化されており、限定受信可能な受信機は、ICカードで保持するカードIDとEMM本体に記述されているカードIDとを比較することによって、自受信機向けのEMM本体を取り出す。
EMM本体にはカードID やECMを解除するワーク鍵やティア・PPV(Pay Per View)に関する機能情報などが記載されている。また、ECMは全限定受信機共通のメッセージで、スクランブルを解除するスクランブル鍵やPPVの視聴判定に必要な情報などが記載されている。EMM,ECMはスクランブルとは別の暗号方式で暗号化されている。
デスクランブルする場合、ICカードは放送波に記載される加入者毎のEMM 本体をICカードが保持するマスター鍵で復号して、EMM本体に含まれるカードIDとワーク鍵を取り出す。ワーク鍵はECMを復号するために使われる鍵である。EMM本体に含まれるカードIDがICカードの持つカードIDと照合すれば、放送波に記載されるECMをワーク鍵で復号してスクランブル鍵を取り出して受信機に渡す。受信機はスクランブルされた放送波をスクランブル鍵でデスクランブルする。
【０００４】
また、限定受信システムの機能で、契約情報の管理と視聴情報の更新がある。契約情報の管理は現在受信しているチャンネルを契約しているかどうかを判断する機能で、PPV番組を購入したときにはその情報を視聴情報としてICカードに記憶する機能である。
視聴情報は、放送事業者の視聴情報収集センターに送信されるが、PPV購入時には視聴情報は送信されず、EMMで指定された所定の時間になった場合やカードが挿入された場合に視聴情報の送信（センターにおける契約者の情報の更新）が行われる（以下「後払いPPV」と表記する場合もある）。
【０００５】
ところで、デジタル放送受信装置、特に携帯電話機では盗難や紛失があるため、携帯電話機を盗難・紛失した契約者は、通常、機種変更するか、携帯通信事業者との契約を解除するが、盗難・紛失した携帯電話機は、設定情報の変更や契約の解除ができない。
そこで、携帯通信事業者は、盗難・紛失した携帯電話機が発信しようとしても、通信できないような仕組みを設けている。例えばCDMAでは、基地局側で、基地局の持つESN・IMSIと装置のESN・IMSIが同じかどうかを監視しているため、盗難・紛失した携帯電話機が発信しようとしても、基地局が発信をキャンセルしている。
しかし、限定受信システムを搭載したデジタル放送受信装置が盗難・紛失した場合、盗難・紛失した携帯電話機には、マスター鍵やティア契約情報、あるいは前払いPPV契約情報などの情報が残っているために、限定受信機能が働いてしまい、スクランブルされた放送も視聴できてしまう問題がある。
また、後払いPPVの場合では、盗難・紛失した携帯電話機はPPV(Pay Per View)番組を不正に視聴できてしまい、通信機能が働かないために視聴契約会社の視聴情報収集センターに対して視聴情報の更新ができない問題がある。
その問題を解決する手段のひとつとして、下記特許文献２がある。下記特許文献２では、移動体の携帯記録媒体にスクランブル解除用の暗号キーが記録されていて、暗号キーを使用するとき、つまり限定受信を視聴しようとするときに、放送事業者と通信して、暗号キーの使用可能信号を受信した後、暗号キーを使ってスクランブルを解除する方法である。
【０００６】
【特許文献１】特開２０００−９９２０号公報
【特許文献２】特開２００４−７２４５４号公報
【発明の開示】
【発明が解決しようとする課題】
【０００７】
しかしながら、上述した特許文献２では、契約者が視聴しようとする際に、たとえ放送信号が受信できても、暗号キーを取得するための無線通信ができなければ視聴することはできない。特に、携帯電話機では、通信不可能な位置に存在する（いわゆる「圏外」になる）ことが多く、かかる場合には契約した番組を視聴できないという問題がある。
【０００８】
また、上述した特許文献２では、視聴する場合に常に放送事業者と通信しなければならず、その都度、通信料が発生するという問題もある。
【０００９】
また、デジタル放送受信機は、無線通信機能が無いものもあり、このような受信機では上述した特許文献２の手法を用いることが出来ず、このような受信機が盗難・紛失された場合には、前払いしたサービス（番組）や後払いするサービス（番組）などが視聴できてしまい、契約者に意図しない課金がなされてしまという上記問題は解消されない。
【００１０】
尚、無線通信機能が無いデジタル放送受信機が視聴するサービス（番組）への課金方法としては、必要なときに通信手段をデジタル放送受信機に装着することで通信手段を介して課金を行ったり、デジタル放送受信機に挿入した課金用カード分の視聴を許可したり、視聴情報を記憶している記憶媒体をデジタル放送受信機から取り出して別途通信装置から通信手段を介して課金処理を行ったりする方法などがあげられる。
【００１１】
上述した観点に鑑み、本発明の目的は、デジタル放送受信装置に依存せずに、コンテンツの視聴可否を制御できるデジタル放送受信装置、デジタル放送システム及び放送装置を提供することにある。
【課題を解決するための手段】
【００１２】
上記課題を克服するための第１の観点は、限定受信方式の放送が視聴可能な受信装置毎又は限定受信方式の放送の視聴契約者毎に対応して固有の識別データを管理する管理装置と、限定受信方式の放送を行う放送装置と、前記限定受信放送を受信するデジタル放送受信装置と、からなるデジタル放送システムであって、前記放送装置は、前記限定受信方式の放送の視聴可能な受信装置又は契約者の前記識別データを前記管理装置から取得して放送し、前記デジタル放送受信装置は、前記放送波から自己の装置又は該装置を使用している契約者の識別データを受信した場合に前記限定受信方式の放送を視聴可能にすることを特徴とするデジタル放送システムである。
【００１３】
上記課題を克服するための第２の観点は、デジタル放送を受信する放送受信手段と、自己の装置又は該装置を使用している契約者の識別データを記憶する記憶手段と、前記放送受信手段により受信した放送波に含まれる識別データと前記記憶手段が記憶する識別データとが一致することを条件として、前記放送受信手段により受信する限定受信方式の放送を視聴可能にする制御手段と、を備えたデジタル放送受信装置である。
【００１４】
上記課題を克服するための第３の観点は、限定受信方式の放送の視聴可能な受信装置又は契約者の識別データを取得して該識別データを含むトランスポートパケットを生成する生成手段と、前記生成手段が生成したトランスポートパケットを送信する送信手段と、を備えた放送装置である。
【００１５】
上記課題を克服するための第４の観点は、限定受信方式の放送が視聴可能な受信装置毎又は限定受信方式の放送の視聴契約者毎に対応して固有の識別データを管理し、放送事業者に対して前記限定受信方式の放送が視聴可能な受信装置又は限定受信方式の放送の視聴契約者の識別データを送信する管理手段、を備えた管理装置である。
【００１６】
上記課題を克服するための第５の観点は、限定受信方式の放送が視聴可能な受信装置毎又は限定受信方式の放送の視聴契約者毎に対応して固有の識別データを管理するとともに限定受信方式の受信又は視聴の停止をする受信装置又は契約者を前記識別データに対応させて管理する管理装置と、限定受信方式の放送を行う放送装置と、前記限定受信放送を受信するデジタル放送受信装置と、からなるデジタル放送システムであって、前記放送装置は、前記限定受信方式の受信又は視聴の停止をする受信装置又は契約者の前記識別データを前記管理装置から取得して放送し、前記デジタル放送受信装置は、前記放送波から自己の装置又は該装置を使用している契約者の識別データを受信した場合に前記限定受信方式の放送の受信又は視聴の停止をすることを特徴とするデジタル放送システムである。
【００１７】
上記課題を克服するための第６の観点は、デジタル放送を受信する放送受信手段と、自己の装置又は該装置を使用している契約者の識別データを記憶する記憶手段と、前記放送受信手段により受信した放送波に含まれる識別データと前記記憶手段が記憶する識別データとが一致することを条件として、前記放送受信手段により受信する限定受信方式の放送の受信又は視聴を停止する制御手段と、を備えたデジタル放送受信装置である。
【００１８】
上記課題を克服するための第７の観点は、限定受信方式の受信又は視聴の停止をする受信装置又は契約者の識別データを取得して該識別データを含むトランスポートパケットを生成する生成手段と、前記生成手段が生成したトランスポートパケットを送信する送信手段と、を備えた放送装置である。
【００１９】
上記課題を克服するための第８の観点は、限定受信方式の放送が視聴可能な受信装置毎又は限定受信方式の放送の視聴契約者毎に対応して固有の識別データを管理するとともに限定受信方式の受信又は視聴の停止をする受信装置又は契約者を前記識別データに対応させて管理し、放送事業者に対して前記限定受信方式の受信又は視聴の停止をする受信装置又は契約者の識別データを送信する管理手段、を備えた管理装置である。
【発明の効果】
【００２０】
本発明によれば、デジタル放送受信装置に依存せずに、コンテンツの視聴可否を制御できる。
【発明を実施するための最良の形態】
【００２１】
《第１の実施形態》
以下、本発明のデジタル放送システム、特に限定受信方式の放送を行う放送システムの一実施形態について述べる。
図１は、実施形態に係るデジタル放送システム１のシステム構成を示す図である。
【００２２】
放送装置２０は、デジタル放送を行う放送事業者の装置であり、コンテンツ（映像信号、音声信号、データ信号）やセクション情報などを多重化してＴＳパケット（トランスポートストリームパケット）を生成するＴＳパケット生成部２０１と、生成されたＴＳパケットを放送波によって送信する送信部２００と、から構成される。また、送信部２００は、限定受信方式の放送も行う。
【００２３】
ＴＳパケットは、スクランブルされたコンテンツ（たとえば、映画・音楽などの映像信号、音声信号）やＥＣＭ（Entitlement Control Message）、ＥＭＭ（Entitlement Management Message）、ＥＰＧ(Electrical Program Guide)などのセクション情報を含む。ＥＣＭ，ＥＭＭは、デジタル放送の限定受信機能を実現するためのメッセージである。
【００２４】
ＥＭＭセクションには、限定受信対象のデジタル放送受信装置（以下、限定受信装置と称する）ごとのＥＭＭ本体が複数個多重化されている。ＥＭＭ本体には、カードＩＤやＥＣＭを解除するワーク鍵、ＰＰＶ（Pay Per View）に関する機能情報などが記載されている。
一方、ＥＣＭは、すべての限定受信装置に共通のメッセージであり、コンテンツのスクランブルを解除するスクランブル鍵や、ＰＰＶの視聴判定に必要な情報などが記載されている。なお、ＥＭＭ，ＥＣＭは、コンテンツのスクランブルとは異なる暗号方式で暗号化されている。
【００２５】
ＴＳパケット生成部２０１は、ＴＳパケットにＥＭＭを書き込む際に、携帯通信事業者の管理装置３０から、ＥＭＭの送信対象であるデジタル放送受信装置の識別データ（限定受信対象装置のデータ）を、公衆網９００を介して要求して取得（入手）し、取得（入手）した識別データをＥＭＭのＥＭＭ可変部に埋め込む（挿入する）。
そして、ＴＳパケット生成部２０１で生成されたＥＭＭのＴＳパケットが送信部２００から放送アンテナ２０２を介して放送される。
【００２６】
ここで、管理装置３０は、デジタル放送受信装置を管理する事業者の装置であり、限定受信方式の放送が視聴可能な受信装置毎又は限定受信方式の放送の視聴契約者毎に対応して固有の識別データを管理する管理サーバ３００と、その識別データを暗号化する暗号化部３０１と、を含んで構成される。尚、通信事業者の場合、「限定受信放送の視聴契約者」が回線契約者（加入者）に関連付けて管理している場合もあるので、識別データを回線契約者（加入者）を特定する識別データとしても良い。
【００２７】
また、管理装置３０の暗号化部３０１では、識別データを例えば携帯通信事業者独自の暗号方式で暗号化することが出来る。これによって、識別データを、放送装置２０を使用する放送事業者に対して秘匿にすることができる。
【００２８】
暗号化された識別データは、管理装置３０が公衆網９００を介して放送装置２０に送信し、放送装置２０は受信した識別データをＴＳパケット生成部２０１に供給する。なお、管理装置３０は、識別データを暗号化せずにそのまま放送装置２０に送信し、放送装置２０は受信した識別データをＴＳパケット生成部２０１に供給するように構成してもよい。
【００２９】
次に、デジタル放送受信装置１０について説明する。
デジタル放送受信装置１０は、放送波受信用のアンテナ１００と、チューナ１０１と、制御部１０２と、スクランブルを解除するためのデスクランブラ１０３と、デコーダ１０４と、無線通信用のアンテナ１０５および送受信部１０６と、ＩＣカード１０７と、ディスプレイ１０８と、スピーカ１０９と、自装置に固有の識別データ（ＩＤ）若しくは回線契約者（加入者）を特定する自己の識別データを記憶するメモリ１１０と、復号化部１１１と、を含んで構成される。
制御部１０２は、マイクロコンピュータを主体として構成され、データ転送制御、タイミング制御などのデジタル放送受信装置１０の制御を行う。
【００３０】
デジタル放送受信装置１０では、アンテナ１００で放送波を受信し、指定された番組に周波数を合わせるためのチューナ１０１によりチャンネル選択を行う。
【００３１】
制御部１０２は、チューナ１０１で抽出されたＴＳパケットから自装置宛のＥＭＭを抽出するために、ＥＭＭに含まれるカードＩＤと、ＩＣカード１０７に格納されているカードＩＤとを比較し、一致する場合に限り、ＩＣカード１０７に格納されているマスター鍵によって、抽出したＥＭＭの暗号化されている部分を復号する。尚、上述の通り、ＩＣカード１０７には、カードＩＤとマスター鍵とが格納されている。カードＩＤは、限定受信装置であることを認証するためのＩＤである。
そして、復号したＥＭＭからワーク鍵を取り出し、このワーク鍵によって、ＴＳパケット内のＥＣＭを復号する。さらに、復号したＥＣＭからスクランブル鍵を抽出する。
【００３２】
制御部１０２は、復号されたＥＭＭ（ＥＭＭ本体）に含まれる識別データと、メモリ１１０に格納されている自己の識別データと比較する。このとき送信された識別データが暗号化されている場合には、復号化部１１１にて復号処理を行う。そして、両者が一致することを条件として、スクランブル鍵を、制御部１０２を介してデスクランブラ１０３に供給する。
【００３３】
デスクランブラ１０３は、供給されたスクランブル鍵に基づいてＴＳパケットをデスクランブルする。
【００３４】
デコーダ１０４では、ＴＳパケットに含まれるコンテンツを映像信号と音声信号に分離するとともに、それぞれデコードする。デコードされた映像信号と音声信号は、それぞれ、ディスプレイ１０８とスピーカ１０９にて再生される。
【００３５】
なお、ＩＣカード１０７は、認証を行うためのハードウエア手段の一例であるが、同様の機能をソフトウエアによって実現することもできる。
【００３６】
次に、デジタル放送システム１におけるデジタル放送受信装置１０の動作について、図２のフローチャートに関連付けて説明する。
【００３７】
図２において、先ず、放送装置２０から放送波を受信し、チューナ１０１によって特定のチャンネルを選択し、そのチャンネルのＴＳパケットが制御部１０２に引き渡される（ステップＳＴ１）。制御部１０２では、ＴＳパケットのＥＭＭセクションのＥＭＭ本体のカードＩＤが、ＩＣカード１０７に保持されるカードＩＤと同じ場合に自装置向けであると判断する（ステップＳＴ２）。カードＩＤが一致しなければ、例えば「視聴できません。」などのエラー画面の表示を行う（ステップＳＴ３）。
【００３８】
カードＩＤが一致する場合には、受信したＥＭＭ本体の暗号化されている部分をＩＣカード１０７が所持するマスター鍵で復号化・解析する（ステップＳＴ４）。復号できない場合には（ステップＳＴ５）、エラー画面の表示を行う（ステップＳＴ３）。
【００３９】
次に、ＥＭＭ本体に含まれる識別データが暗号化されている場合には、復号化部１１１にて復号処理を行う（ステップＳＴ６）。ただし、識別データが暗号化されていない場合はこの処理（ステップＳＴ６）をスキップする。そして、ＥＭＭ本体に含まれる識別データと、メモリ１１０に格納される自己の識別データとを比較する（ステップＳＴ７）。
【００４０】
その結果、識別データと自己の識別データとが一致しない場合には、例えば「視聴できません。」などのエラー画面の表示を行う（ステップＳＴ１２）。かかる場合には、デジタル放送受信装置１０が視聴契約の対象となっていないと考えられるため、制御部１０２は、限定受信機能を不能にする、あるいは放送受信そのものを不能にする処理を行ってもよい（ステップＳＴ１３）。限定受信機能を不能にする処理あるいは放送受信そのものを不能にする処理は、例えばＥＭＭ、ＥＣＭを受信しないようにしたり、ＩＣカード１０７の情報を消去したり、ＩＣカード１０７を使用不能にするなどの処理である。
【００４１】
ステップＳＴ７において、識別データと自己の識別データとが一致する場合には、ＩＣカード１０７は、ＥＭＭ本体に含まれるワーク鍵を使って、ＥＣＭを復号化・解析してスクランブル鍵を抽出し（ステップＳＴ８およびＳＴ９）、スクランブル鍵をデスクランブラ１０３に供給する。
デスクランブラ１０３は、供給されたスクランブル鍵を使ってＴＳパケットをデスクランブルする（ステップＳＴ１０）。デスクランブルされたＴＳパケットは、デコーダ１０４において、映像信号と音声信号に分離され、それぞれデコードされてディスプレイ１０８に表示、またはスピーカ１０９に出力される。すなわち、コンテンツが出力される（ステップＳＴ１１）。
【００４２】
なお、以上で説明した自装置に固有のＩＤ若しくは回線契約者（加入者）を特定する識別データとしては、少なくとも電子シリアル番号（ＥＳＮ）、移動加入者識別番号（ＩＭＳＩ）、国際携帯電話機識別番号（ＩＭＥＩ）、または携帯電話機識別番号（ＭＩＮ）のいずれかとすることができる。
【００４３】
以上説明したように、本実施形態に係るデジタル放送システム１では、デジタル放送受信装置１０の無線通信機能の有効／無効や、内部の視聴設定によらず、放送装置２０から送信するＥＭＭに含まれる識別データに応じて、デジタル放送受信装置１０の限定受信機能を有効／無効（視聴可能／視聴不可能）を制御できる。たとえば、デジタル放送受信装置１０が圏外にある場合であっても、無線通信によってコンテンツのスクランブルを解除するスクランブル鍵を受信する（要求を送信する）構成としていないので、放送波が受信できる限り、契約者は限定受信放送を視聴できる。
また、本実施形態に係るデジタル放送システム１では、識別データと自己の識別データの一致という認証方法をとるため、限定受信に対するセキュリティを向上することができる。つまり、盗難・紛失した場合、その旨をデジタル放送受信装置を管理する通信事業者に連絡し、通信事業者が管理サーバ３００のデータを変更する若しくは放送事業者へ送信しないようにすることにより、対象のデジタル放送受信装置は限定受信を視聴できなくなる。
【００４４】
《第２の実施形態》
以下、本発明のデジタル放送システムの第２の実施形態について述べる。
図３は、本実施形態に係るデジタル放送システム２のシステム構成を示す図である。
【００４５】
デジタル放送システム２は、デジタル放送受信装置１１と、放送装置２０と、管理装置３１とから構成される。デジタル放送受信装置１０は、第１の実施形態に係るデジタル放送受信装置１０と比較して、メモリ１１０と復号化部１１１がない点で相違する。管理装置３１は、第１の実施形態に係る管理装置３０と比較して、管理サーバ３０２によって構成される点で相違する。
【００４６】
また、放送装置２０は、上記のＥＳＮ，ＩＭＳＩ，ＩＭＥＩ，ＭＩＮのいずれかを暗号鍵としてＥＭＭを暗号化して送信するようにしている。これにより、放送装置２０側で、各デジタル放送受信装置がデジタル放送を受信可能な否か判断する必要がなく、処理を高速化できる。
【００４７】
デジタル放送システム２の動作が、第１の実施形態のデジタル放送システム１と比較して異なる点は、以下の通りである。
（１）放送装置２０は、暗号鍵として識別データを用いてＥＭＭを暗号化する。暗号化されたＥＭＭを含むＴＳパケットがデジタル放送受信装置１１に対して送信される。
（２）デジタル放送受信装置１１では、ＩＣカード１０７において自己の識別データを保持し、ＴＳパケットのＥＭＭ本体を、保持する自己の識別データを暗号鍵として復号する。
なお、ここでのＩＣカード１０７の例としては、ＳＩＭ(Subscriber Identity Module)やＵＩＭ(User Identity Module)が好ましい。
【００４８】
次に、デジタル放送システム２におけるデジタル放送受信装置１１の動作について、図４のフローチャートに関連付けて説明する。
【００４９】
図４において、先ず、放送装置２０から放送波を受信し、チューナ１０１によって特定のチャンネルを選択し、そのチャンネルのＴＳパケットが制御部１０２に引き渡される（ステップＳＴ２０）。制御部１０２では、ＴＳパケットのＥＭＭセクションのＥＭＭ本体のカードＩＤが、ＩＣカード１０７に保持されるカードＩＤと同じ場合に自デジタル放送受信装置向けであると判断する（ステップＳＴ２１）。カードＩＤが一致しなければ、例えば「視聴できません。」などのエラー画面の表示を行う（ステップＳＴ２２）。
【００５０】
カードＩＤが一致する場合、ＩＣカード１０７は、自己が保持する自己の識別データを暗号鍵としてＥＭＭ本体の暗号化されている部分を復号・解析を試みる（ステップＳＴ２３）。
【００５１】
その結果、ＥＭＭが復号できない場合には（ステップＳＴ２４）、例えば「視聴できません。」などのエラー画面の表示を行う（ステップＳＴ２９）。かかる場合には、携帯受信装置１０が視聴契約の対象となっていないと考えられるため、制御部１０２は、限定受信機能を不能にする、あるいは放送受信そのものを不能にする処理を行ってもよい（ステップＳＴ３０）。限定受信機能を不能にする処理あるいは放送受信そのものを不能にする処理は、例えばＥＭＭ、ＥＣＭを受信しないようにしたり、ＩＣカード１０７の情報を消去したり、ＩＣカード１０７を使用不能にするなどの処理である。
【００５２】
ＥＭＭの暗号化されている部分が復号できた場合には（ステップＳＴ２４）、ＩＣカード１０７は、ＥＭＭ本体に含まれるワーク鍵を使って、ＥＣＭを復号化・解析してスクランブル鍵を抽出し（ステップＳＴ２５およびＳＴ２６）、スクランブル鍵をデスクランブラ１０３に供給する。
デスクランブラ１０３は、供給されたスクランブル鍵を使ってＴＳパケットをデスクランブルする（ステップＳＴ２７）。デスクランブルされたＴＳパケットは、デコーダ１０４において、映像信号と音声信号に分離され、それぞれデコードされてディスプレイ１０８に表示、またはスピーカ１０９に出力される。すなわち、コンテンツが出力される（ステップＳＴ２８）。
【００５３】
第１の実施形態と同様に、識別データとしては、少なくとも電子シリアル番号（ＥＳＮ）、移動加入者識別番号（ＩＭＳＩ）、国際携帯電話機識別番号（ＩＭＥＩ）、または携帯電話機識別番号（ＭＩＮ）のいずれかとすることができる。
【００５４】
本実施形態に係るデジタル放送システム２によれば、第１の実施形態に係るデジタル放送システム１と同様の効果が得られるうえ、デジタル放送システム２全体の構成を簡易な構成とすることができる。
【００５５】
《第３の実施形態》
以下、本発明のデジタル放送システムの第３の実施形態について述べる。
本実施形態に係るデジタル放送システムのシステム構成は、図１に示したデジタル放送システム１と同一である。
【００５６】
本実施形態では、第１の実施形態と比較して、放送装置２０において、限定受信機能を停止させたい識別データをＥＭＭに含ませる点で相違する。ここで、限定受信機能を停止（受信又は視聴の停止）させたい受信装置又は契約者を識別データに対応させて管理装置３０が管理しているものとする。
【００５７】
本実施形態に係るデジタル放送受信装置１０の動作について、図５のフローチャートに関連付けて、以下説明する。
【００５８】
図５において、先ず、放送装置２０から放送波を受信し、チューナ１０１によって特定のチャンネルを選択し、そのチャンネルのＴＳパケットが制御部１０２に引き渡される（ステップＳＴ４０）。制御部１０２では、ＴＳパケットのＥＭＭセクションのＥＭＭ本体のカードＩＤが、ＩＣカード１０７に保持されるカードＩＤと同じ場合に自デジタル放送受信装置向けであると判断する（ステップＳＴ４１）。カードＩＤが一致しなければ、例えば「視聴できません。」などのエラー画面の表示を行う（ステップＳＴ４２）。
【００５９】
カードＩＤが一致する場合には、受信したＥＭＭ本体の暗号化されている部分をＩＣカード１０７が所持するマスター鍵で復号化・解析する（ステップＳＴ４３）。復号できない場合には（ステップＳＴ４４）、エラー画面の表示を行う（ステップＳＴ４２）。
【００６０】
次に、ＥＭＭ本体に含まれる識別データが暗号化されている場合には、復号化部１１１にて復号処理を行う（ステップＳＴ４５）。ただし、識別データが暗号化されていない場合はこの処理（ステップＳＴ４５）をスキップする。そして、ＥＭＭ本体に、識別データが含まれているか否かを確認する（ステップＳＴ４６）。
【００６１】
その結果、ＥＭＭ本体に識別データが含まれており、かつ、その識別データとメモリ１１０に保持する自己の識別データとが一致する場合には（ステップＳＴ４７）、例えば「視聴できません。」などのエラー画面の表示を行う（ステップＳＴ４８）。かかる場合には、携帯受信装置１０が視聴契約の対象となっていないと考えられるため、制御部１０２は、限定受信機能を不能にする、あるいは放送受信そのものを不能にする処理を行ってもよい（ステップＳＴ４９）。限定受信機能を不能にする処理あるいは放送受信そのものを不能にする処理は、例えばＥＭＭ、ＥＣＭを受信しないようにしたり、ＩＣカード１０７の情報を消去したり、ＩＣカード１０７を使用不能にするなどの処理である。
【００６２】
ステップＳＴ４６においてＥＭＭに識別データが含まれていないか、または、ステップＳＴ４７において識別データと自己の識別データとが一致する場合には、ＩＣカード１０７は、ＥＭＭ本体に含まれるワーク鍵を使って、ＥＣＭを復号化・解析してスクランブル鍵を抽出し（ステップＳＴ５０およびＳＴ５１）、スクランブル鍵をデスクランブラ１０３に供給する。
デスクランブラ１０３は、供給されたスクランブル鍵を使ってＴＳパケットをデスクランブルする（ステップＳＴ５２）。デスクランブルされたＴＳパケットは、デコーダ１０４において、映像信号と音声信号に分離され、それぞれデコードされてディスプレイ１０８に表示、またはスピーカ１０９に出力される。すなわち、コンテンツが出力される（ステップＳＴ５３）。
【００６３】
本実施形態に係るデジタル放送システムによれば、デジタル放送受信装置１０は、受信したＴＳパケットのＥＭＭに含まれる１または複数の識別データの中に、自己が所持する自己の識別データと一致するものがあるか否か確認して、限定受信機能の有効／無効を判断するため、第１の実施形態同様、デジタル放送受信装置１０の無線通信機能の有効／無効や内部の視聴設定によらず、放送装置２０から送信するＥＭＭに含まれる識別データに応じて、デジタル放送受信装置１０の限定受信機能を有効／無効（視聴可能／視聴不可能）を制御できる。
【００６４】
本発明の実施に際しては、上述した各実施の形態を適宜組み合わせることができる。
また、上述した実施の形態は本発明の例示にすぎず、本発明が上述した実施の形態に限定されるわけではない。例えば、デジタル放送は、地上デジタルの他に、BSデジタル放送、CSデジタル放送などの衛星デジタル放送も含むものである。
【００６５】
例えば、カードＩＤや自己の識別データの保持を、デジタル放送受信装置の内臓メモリやＩＣカードに状況に応じて保持させている実施例を記載しているが、上記保持する箇所は実施例に限定するものでもなく、また、内臓メモリ又はＩＣカードのいずれか一方に保持させる構成でも良い。
また、上述の「カードＩＤ」についても、システム設計によってはこれを使用しない場合もあるので、ＴＳパケットから自装置宛のＥＭＭを抽出するための識別子であれば、これに限定するものでもなく、またカードに限定するものでもない。
また、上述の「ＩＣカード」についても、情報を記憶する記憶手段であれば、ＩＣカードに限定するものでもない。
また、ＩＣカードは、デジタル放送受信装置に装着されていない場合、デジタル放送が視聴できない構成のものであっても良い。
【００６６】
また、本発明のデジタル放送受信装置は、デジタル放送を受信できる機能を有する装置に適用可能である。
また、携帯通信事業者が管理する携帯電話機や通信モジュールを内蔵する装置以外の装置の場合、デジタル放送の限定受信契約を管理している事業者の管理装置が放送事業者からの対応を行うことでデジタル放送受信装置の限定受信機能を有効／無効を制御できる。
【図面の簡単な説明】
【００６７】
【図１】実施形態に係るデジタル放送システムのシステム構成を示す図である。
【図２】実施形態に係るデジタル放送受信装置の動作を示すフローチャートである。
【図３】実施形態に係るデジタル放送システムのシステム構成を示す図である。
【図４】実施形態に係るデジタル放送受信装置の動作を示すフローチャートである。
【図５】実施形態に係るデジタル放送受信装置の動作を示すフローチャートである。
【符号の説明】
【００６８】
１，２…デジタル放送システム、１０，１１…デジタル放送受信装置、２０…放送装置、３０…管理装置、９０…基地局、９００…公衆網、９０１…携帯通信網、２００…送信部、２０１…ＴＳパケット生成部、３０１…暗号化部、３００，３０２…管理サーバ、１００，１０５…アンテナ、１０１…チューナ、１０２…通信部、１０３…デスクランブラ、１０４…デコーダ、１０６…送受信部、１０７…ＩＣカード、１０８…ディスプレイ、１０９…スピーカ、１１０…メモリ、１１１…復号化部。
【図１】
2006333350.tif 000003
【図２】
2006333350.tif 000004
【図３】
2006333350.tif 000005
【図４】
2006333350.tif 000006
【図５】
2006333350.tif 000007